(57)【特許請求の範囲】
【請求項１】
吸引風を発生する電動送風機と、
含塵空気を吸い込む吸込口体と、
塵埃を捕集する集塵部と、
少なくとも前記集塵部と前記電動送風機とを格納する本体筐体と、
前記本体筐体に外部空間に対して開口する開口部を有し、前記本体筐体と外部空間とを連通する吸引風路と、
オゾンを生成するオゾン生成手段とを備え、
前記オゾン生成手段で生成したオゾンを放出するオゾン放出口を前記吸引風路に形成し、
前記オゾン放出口の開口面と対向する前記吸引風路部分の少なくとも一部を、
前記吸引風路の開口部の下端部よりも低くなるように形成したことを特徴とする電気掃除機。
【請求項２】
前記オゾン放出口の開口面と対向する前記吸引風路部分の少なくとも一部を、前記本体筐体の内部に向かって下向きに傾斜させて形成したことを特徴とする請求項１記載の電気掃除機。
【請求項３】
前記オゾン生成手段を前記吸引風路の上部に設け、前記オゾン放出口を前記オゾン生成手段の直下に設けたことを特徴とする請求項１および２記載の電気掃除機。
【請求項４】
前記オゾン放出口の開口面と対向する前記吸引風路部分の少なくとも一部を、前記集塵部に向かって下向きに傾斜させたことを特徴とする請求項１〜３記載の電気掃除機。
【請求項５】
前記オゾン生成手段で生成したオゾンを取り込む取込口を前記集塵部に設け、前記取込口の少なくとも一部を、前記オゾン放出口の直下に配置したことを特徴とする請求項４記載の電気掃除機。
【請求項６】
前記集塵部を前記本体筐体に対して着脱可能とする構成において、前記オゾン放出口を前記本体筐体に設け、かつ、
前記集塵部を前記本体筐体から取り出す際の取り出し方向を、重力方向に対して傾斜させたことを特徴とする請求項５記載の電気掃除機。
【請求項７】
前記電動送風機が停止しているときに前記オゾン生成手段を動作させることを特徴とする請求項１〜６記載の電気掃除機。
【発明の詳細な説明】
【技術分野】
【０００１】
この発明は、オゾン生成手段を搭載した電機掃除機に関するものである。
【背景技術】
【０００２】
一般的な電気掃除機においては、電気掃除機本体内には電動送風機と、電動送風機の上流側に集塵室内に集塵手段を配置している。そして、塵埃を吸引する吸引ノズルを、延長管、ホースを介して電気掃除機本体に接続し、吸引した塵埃を集塵手段に捕集するものである。また、塵埃が集塵手段に捕集された後の空気は、電気掃除機本体の後部の排気口より排気されるものである。しかしながら、捕集した塵埃や塵埃が通過する電気掃除機内部の風路から発生する臭気の防臭が十分でないため、電気掃除機を使用するとき排気口から臭気が電気掃除機本体外に排出されてしまう。また、長期間放置した集塵手段に捕集された塵埃においては、雑菌が繁殖し、電気掃除機を運転した際に排気口から雑菌や臭いが放出されてしまい不衛生になるものであった。（なお、ここでいう集塵手段は、電動送風機に対して下流側に配置されても同じ課題が発生する。）このような課題に対して、従来からオゾン生成手段を設け、オゾンを放出して脱臭・殺菌を行うようにした電気掃除機がある（例えば、特許文献１参照）。
【先行技術文献】
【特許文献】
【０００３】
【特許文献１】特開２００３−３２５４０４号公報（第２−４頁、第２図）
【発明の概要】
【発明が解決しようとする課題】
【０００４】
しかしながら、特許文献１においては、生成されたオゾンが放出される経路の途中でオゾンが消失しえる。この場合、オゾンがごみや風路壁面に十分に行き届かない。すなわち、脱臭や殺菌の効果が十分ではない。また、高濃度になると人体に有害とされるオゾンが電気掃除機外へ漏洩しやすく、排出量を押さえ込む必要がある。
【０００５】
この発明は、上述のような課題を解決するためになされたもので、その目的は、オゾン生成手段からのオゾンが塵埃や電気掃除機本体内に十分に行き届くことを可能とし、さらに電気掃除機本体外へのオゾンの漏洩を防止することができる電気掃除機を提供することである。
【課題を解決するための手段】
【０００６】
この発明に係る電気掃除機は、吸引風を発生する電動送風機と、含塵空気を吸い込む吸込口体と、塵埃を捕集する集塵部と、少なくとも前記集塵部と前記電動送風機とを格納する本体筐体と、前記本体筐体に外部空間に対して開口する開口部を有し、前記本体筐体と外部空間とを連通する吸引風路と、オゾンを生成するオゾン生成手段とを備え、前記オゾン生成手段で生成したオゾンを放出するオゾン放出口を前記吸引風路に形成し、前記オゾン放出口の開口面と対向する前記吸引風路部分の少なくとも一部を、前記吸引風路の開口部の下端部よりも低くなるように形成したしたものである。
【発明の効果】
【０００７】
この発明によれば、オゾンが塵埃や電気掃除機本体内に十分に行き届くことを可能とし、さらには電気掃除機本体外へのオゾンの漏洩を防止することができる。
【図面の簡単な説明】
【０００８】
【図１】この発明の実施の形態１を示す電気掃除機の外観斜視図である。
【図２】この発明の実施の形態1を示す電気掃除機の掃除機本体の斜視図である。
【図３】この発明の実施の形態１を示す電気掃除機の掃除機本体の平面図である。
【図４】この発明の実施の形態１を示す電気掃除機の掃除機本体の側面図である。
【図５】この発明の実施の形態１を示す図３のＡ−Ａ断面図である。
【図６】この発明の実施の形態１を示す図４のＢ−Ｂ断面図である。
【図７】この発明の実施の形態１を示す図３のＡ−Ａ断面におけるオゾン生成手段部分の拡大断面図である。
【図８】この発明の実施の形態１を示す図４のＢ−Ｂ断面におけるオゾン生成手段部分の拡大断面図である。
【図９】この発明の実施の形態１を示す集塵部を本体筐体から取り外した状態を示す図３のＡ−Ａ断面図である。
【発明を実施するための形態】
【０００９】
以下、この発明を実施するための形態について、図面を参照して説明する。なお、各図中、同一又は相当する部分には同一の符号を付しており、その重複説明は適宜に簡略化ないし省略する。
【００１０】
実施の形態１．
図１はこの発明に係る電気掃除機の外観を示す斜視図である。図１において、電気掃除機１００は、吸込口体１と、吸引パイプ２と、接続パイプ３と、サクションホース４と、サイクロン方式の掃除機本体５とから構成されている。５は掃除機本体である。掃除機本体５の後部両側には、車輪５５が設けられる。掃除機本体１の後部には、コードリール部（図示せず）が設けられる。コードリール部には、電源コード６が巻き付けられる。
【００１１】
掃除機本体５の前部には、サクションホース４の一端が接続される。サクションホース４は、可撓性を有するように蛇腹状に形成される。サクションホース４の他端には、接続パイプ３の一端が接続される。接続パイプ３は、中途にて若干折れ曲がるように形成される。接続パイプ３には、把手部３ａが設けられる。把手部３ａには、操作スイッチ（図示せず）が設けられる。接続パイプ３の他端には、吸引パイプ２の一端が接続される。吸引パイプ２は、円筒状に真っ直ぐに形成される。吸引パイプ２の他端には、吸込口体１が接続される。
【００１２】
次に、図２〜図９を用いて、掃除機本体５を説明する。
図２はこの発明の実施の形態１における電気掃除機の本体の斜視図である。図３はこの発明の実施の形態１における電気掃除機の平面図である。図４はこの発明の実施の形態１における電気掃除機の側面図である。図５は図３のＡ−Ａ線における断面図である。図６は図４のＢ−Ｂ線における断面図である。図７は図３のＡ−Ａ線における断面でのオゾン生成手段部分の拡大断面図である。図８は図４のＢ−Ｂ線における断面でのオゾン生成手段部分の拡大断面図である。図９は図３のＡ−Ａ線における断面での集塵部を掃除機本体から取り外した状態を示す断面図である。
【００１３】
図２〜図６に示すように、掃除機本体５は、本体筐体９０と集塵部５０からなり、本体筐体９０の内部には、本体吸引口５８と、吸引風路４９と、集塵部排出風路５１と、吸気フィルター５２と、電動送風機５３と、排気フィルター５７と、排気空間５９と、排気口５４と、を備えている。また、本体筐体９０は、その後部において、車輪５５、図示しないコードリール部などを備えている。
【００１４】
そして、電源コード６が外部電源に接続されることで、通電し、電動送風機５３が駆動されて吸引動作を行う。吸込口体１、吸引パイプ２、接続パイプ３およびサクションホース４を経て、含塵空気を掃除機本体５に流入させるための経路の一部を構成する。
本体吸引口５８から掃除機本体５に流入した含塵空気は、吸引風路４９を経て、集塵部５０へ到達する。その後、集塵部５０で含塵空気からごみを分離して清浄化された空気は、集塵部排出風路５１へと流れていき、吸気フィルター５２、電動送風機５３、排気空間５９、排気フィルター５７、排気口５４を順に経て掃除機本体５の外部に排出される。なお、本体吸引口５８は、吸引風路４９の本体筐体９０外部の空間に対する開口を形成している。このようにして掃除機本体５の内部に流入した含塵空気を掃除機本体５の外部に清浄な空気として排出する
【００１５】
次に、集塵部５０について説明する。
集塵部５０は、集塵ケース５０ｂの内部に集塵袋５０ａを格納した構成としている。集塵袋５０ａは通気性のあるフィルター材で形成されており、その内部に取り込んだ含塵空気から塵埃を分離して捕集する。また、集塵袋５０ａを構成する材料には活性炭を練り込んでおり、塵埃から発生する臭気を吸着する効果を備えている。また、集塵部５０には、その集塵領域の内部にオゾン生成手段６０で生成したオゾンとともに含塵空気を取り込む取込口５０ｃを備えている。
【００１６】
次に、オゾン生成手段６０およびオゾン放出口４９ａの配置位置について説明する。
オゾンをより効果的に作用させるには、臭気の元となる塵埃に直接オゾンが放出できるようにオゾン生成手段６０を配置することが望ましい。つまり、オゾン生成手段６０から生成されるオゾンの放出口４９ａを、本体吸引口５８から掃除機本体５に流入する含塵空気が通過する吸引封路４９または塵埃を捕集する集塵部５０に向けて配置させることが効果的である。しかし、オゾン生成手段６０は、内部に針形状の放電電極（図示しない）をケース体（図示しない）の内部に格納した構成になっており、この放電電極に高電圧を印加することでオゾンを生成するようになっている。したがって、放電電極には塵埃が付着しないように考慮する必要もある。そこで、オゾン生成手段６０の放出口４９ａの配置位置としては、塵埃が集まる集塵部５０内よりも集塵部５０の上流側にあり塵埃が溜まらない吸引風路４９部分（付近）に配置することが望ましい。
【００１７】
次に、吸引風路４９および集塵部５０の集塵領域の内部にオゾンを放出する構造と動作について図５〜図８を用いて説明する。
上述したように、オゾン生成手段６０は、吸引風路４９の上部に設置されている。また、オゾン生成手段６０は、内部に針形状の放電電極（図示しない）をケース体（図示しない）の内部に格納した構成になっており、この放電電極に高電圧を印加することによりオゾンを生成する。このようにして生成されたオゾンは、ケース体の壁面に備えたスリット状の開口（図示しない）から、ケース体の外部に放出される。また、吸引風路４９の上面にはケース体から放出されたオゾンを吸引風路４９の内部に放出するための放出口４９ａを設けており、この放出口４９ａは多数の孔により形成されている。なお、オゾンは空気よりも比重が重たいため、自重により重力方向に落下していく性質がある。
ここで、図７に示すように，吸引風路４９の下面において放出口４９ａの開口面の直下（自重方向）に位置にする部分（図７中の点ａ）がを、本体吸引口５８の下端部（図７中の点ｂ）よりも低い位置になるように配置する。
【００１８】
このような構成配置とすることにより、放出口４９ａから自重により重力方向に落下したオゾンが確実に集塵部５０内に入り、脱臭・殺菌の対象となる塵埃や塵埃が通過する本体筐体９０内部の風路から発生する臭気に到達しやすくなり、吸引風路４９から本体筐体９０の外部へ漏洩しにくくなり、脱臭・殺菌効果を高めることができる。
また、本体吸引口５８を本体筐体９０の上部に形成することにより、使用者が把手部３ａを持って掃除機本体５を引き回す際に、掃除機本体５に上向きの力が加わりやすい。したがって掃除機本体５が段差などを乗り越えて走行しやすくなり、操作性を向上する効果もある。
【００１９】
また、図７に示すように、吸引風路４９の下面、つまりオゾン生成手段６０から生成されるオゾンが放出される放出口４９ａの開口面の真下（自重方向）に位置する部分（以下底面）の少なくとも一部を本体筐体９０の内部に向かって下向きに傾斜させて形成する。
このような構成により、オゾンが吸引風路４９の底面に沿って重力により降下していくため脱臭・除菌の対象部位である吸引風路４９の壁面や集塵部５０に到達しやすく、脱臭・殺菌効果を高めることができる。また、本体筐体９０外部に漏洩しにくくもなり、安全性を確保することができる。
【００２０】
また、図７に示すように、オゾンを吸引風路４９内に放出するための放出口４９ａを、オゾン生成手段６０の直下（自重方向）に形成する。
このような構成により、オゾン生成手段６０において生成したオゾンを吸引風路４９に放出する際にも重力を利用することにより、オゾンが吸引風路４９に放出されやすくなり、脱臭・殺菌の効果をより高めることができる。
【００２１】
また、図７に示すように、オゾンを吸引風路４９内に放出するための放出口４９ａの真下に位置する部分の吸引風路４９の底面の一部を、集塵部５０に向かって下向きに傾斜させて形成している。
このような構成により、オゾンが吸引風路４９底面に沿って重力により降下していくため、集塵部５０に到達しやすく、集塵部５０を効率よく脱臭することができる。また、オゾンの本体筐体９０外部への漏洩を防ぐことができる。
【００２２】
また、図７に示すように、集塵部５０に形成した取込口５０ｃの開口面の少なくとも一部を、オゾンの放出口４９ａの直下の少なくとも一部に位置するように配置している。
これのような構成により、重力により自重方向に落下したオゾンの一部が、直接、集塵部５０内の集塵空間に落下することになり、オゾンが移動する途中経路で消失しにくく、脱臭・殺菌効果をより高めることができる。
【００２３】
また、図９に示すように、集塵部５０の取込口５０ｃを放出口４９ａの真下に位置させ、かつ集塵部５０を着脱可能とするために、オゾン生成手段６０および放出口４９ａを本体筐体９０に設けるようにし、集塵部５０を本体筐体９０から取り出す際の取り出し方向を、重力方向に対して傾斜させている。
このような構成により、集塵部５０を着脱可能としてもオゾン生成手段６０からのオゾンの放出口４９ａの直下に集塵部５０の取込口５０ｃを位置させることで、脱臭・殺菌効果を増大しつつも、集塵部５０の着脱により、使い勝手も良い構造とすることができる。
【００２４】
また、電動送風機５３が停止しているときにオゾン生成手段６０を動作させてもよい。このように電動送風機５３の停止時にオゾン生成手段６０を動作させることで、電動送風機５３の吸引風によってオゾンの重力沈降効果が妨げられることがなく、脱臭・殺菌の対象部位に効率よくオゾンを到達させることができる。また、電動送風機５３の吸引風によってオゾンの濃度を薄めることもなく、脱臭・殺菌の対象部位のオゾン濃度を高め、脱臭・殺菌効果をより高めることができる。
【００２５】
なお、上述した実施の形態では、集塵部５０に集塵袋５０ａを用いた構成としたものを示したが、例えばサイクロン分離装置やフィルターといった集塵方式でも同様の効果を奏することができる。また、本発明は、実施の形態で説明したキャニスタータイプの電気掃除機に限られるものではない。
【００２６】
なお、上述した実施の形態では、集塵部５０よりも上流側の位置にオゾンを放出するようにオゾン生成手段６０を配置しているが、本発明は、オゾンの自重を利用して効率的に脱臭・殺菌の対象部位にオゾンを到達させることを目的としているため、イオン生成手段６０の配置はこの限りではない。
例えば、電動送風機５３の下流側の排気空間５９にオゾン生成手段６０を配置しても良い。オゾン生成手段６０から生成されるオゾンは、上述したように自重により重力方向に落下するため、排気空間５９内の上部位置に配置することが望ましい。排気口５４を排気空間５９の上部に配置し、その排気口５４にオゾン生成手段６０および放出口４９ａを配置することで、オゾンが排気空間５９内に全体に到達しやすくなり、脱臭・殺菌効果を高めることができる。なお、この場合、排気口５４を本体筐体９０の上部に配置することになるため、排気口５４からの排気が床面のごみを巻き上げるのを防ぐ効果もある。
【００２７】
なお、上述した実施の形態では各部品間のシール構造およびロック構造について言及していないが、該シール構造およびロック構造がオゾンの放出経路を妨げることのないよう設置されるのが望ましい。
【符号の説明】
【００２８】
１  吸込口体、２  吸引パイプ、３  接続パイプ、３ａ  把手部、４  サクションホース、５  掃除機本体、４９  吸引風路、４９ａ  放出口、５０  集塵部、５０ａ  集塵袋、５０ｂ  集塵ケース、５０ｃ  取込口、５１  集塵部排出風路、５２  吸気フィルター、５３  電動送風機、５４  排気口、５５  車輪、５６  防振リブ、５７  排気フィルター、５８  本体吸引口、５９  排気空間、６０  オゾン生成手段、９０  本体筐体、１００  電気掃除機。
【図１】
0005152365.tif 000002
【図２】
0005152365.tif 000003
【図３】
0005152365.tif 000004
【図４】
0005152365.tif 000005
【図５】
0005152365.tif 000006
【図６】
0005152365.tif 000007
【図７】
0005152365.tif 000008
【図８】
0005152365.tif 000009
【図９】
0005152365.tif 000010